(57)【要約】【課題】光ディスクをドライブするディスク装置のイジェクト／ロック機構の構造的強度を向上し、信頼性の高いディスク装置とする。【解決手段】記録媒体を装填したディスクトレイ１をシャーシケース１０内で前進後退させてロード／アンロードするようにしたディスク装置に配設したイジェクト／ロック機構において、合成樹脂からなる主体の先端部に鋼板型材２９ｂをインサートして一体化したロックレバー２９をイジェクト／ロック機構Ｂに備える。【選択図】    図４
2004152438.tif 000002
【特許請求の範囲】
【請求項１】
記録媒体を装填したディスクトレイをシャーシケース内で前進後退させてロード／アンロードするようにしたディスク装置に配設したイジェクト／ロック機構において、
合成樹脂からなる主体の先端部に鋼板型材をインサートして一体化したロックレバーを備えてなることを特徴とするディスク装置のイジェクト／ロック機構。
【請求項２】
前記請求項１記載のイジェクト／ロック機構であって、
前記ロックレバーは、エマージェンシーイジェクト時に押圧される被駆動面を備えており、該被駆動面は合成樹脂で形成されていることを特徴とするイジェクト／ロック機構。
【発明の詳細な説明】
【０００１】
【発明の属する技術分野】
本発明は、記録媒体として普及しているＣＤ（Ｃｏｍｐａｃｔ  Ｄｉｓｃ）あるいはＤＶＤ（Ｄｉｇｉｔａｌ  Ｖｅｒｓａｔｉｌｅ  Ｄｉｓｃ）などの光ディスクをドライブするディスク装置に関するもので、この光ディスクを装填するディスクトレイに配設するイジェクト／ロック機構の改良に関するものである。
【０００２】
【従来の技術】
一般にパーソナルコンピュータ（以下、パソコンという）などの機器本体には光ディスクをドライブするディスク装置が内蔵され、一体化されており、光ディスクへの情報の記録再生が行われる（例えば、特許文献１参照）。図１８は、このようなディスク装置を内蔵したノート型パソコンの外観を示すもので、通常、この場合のディスク装置は、スイッチ操作あるいはパソコン本体からの指令によりディスクトレイ１０１がポップアウトし、さらにパソコンの使用者がディスクトレイ１０１を引き出し、光ディスクＤを装填するようにしている。
【０００３】
図１９は、特にノート型パソコンに多く採用されているディスク装置の外観を示すもので、同図に示すごとくディスクトレイ１０１の中央に、直下に配したスピンドルモータの駆動軸に固定されたターンテーブル１０２が配置され、このターンテーブル１０２に一体構成されたクランプ機構２ａで光ディスクＤの中心孔をクランプし、回転力を伝達するようにしている。また、光ピックアップを主体に構成したヘッドユニット１０３は、ディスクトレイ１０１に形成されたスリット１０１ａ内を半径方向に移動し、光ディスクＤに対し情報の記録再生を行うようにしている。そして、このように構成されているディスクトレイ１０１は、ガイドレール１０４に支持されてシャーシケース１０５内に収まるように構成されている。
【０００４】
【特許文献１】
特願２００２−９７０７６号
【０００５】
【発明が解決しようとする課題】
ところで、近年のノート型パソコンは可能な限りの薄型化、軽量化が望まれており、商品開発において重要な課題となっている。ところが、ノート型パソコンへ内蔵するようなディスク装置は、光デスクの駆動系ユニットを備えていることもあり、最も薄型化が困難な部分となっている。
【０００６】
このようなディスク装置の現時点における標準的な厚さは１２．７ｍｍ程度であるが、さらに要望される厚さは９．５ｍｍ程度であり、これを達成するには個々の部品が比例的に小さくなり、可動部分のクリアランスも厳密なものとなるため、設計上の対応も甚だ困難なものとなる。しかも、近年のようにきわめて高い記録密度の光ディスクをドライブするディスク装置にあっては、薄型化を達成しつつも、機構的精度はさらに向上しなければならないものであり、構造的欠陥が生じないようにし、高い耐久性を維持しなければならない。
【０００７】
ところで、このようなディスク装置における機構部分において、最も構造的耐久性を要求される部分としてイジェクト／ロック機構を挙げることができる。このイジェクト／ロック機構は、ディスクトレイをロードしたとき、シャーシケース内にディスクトレイがポップアウトしないようにロックする機能を備えるもので、通常、イジェクト／ロック機構のロックレバーとベースシャーシに取り付けたロックピンの係合のみで前記機能を得るようにしている。
【０００８】
ところが、前述したように、ディスク装置全体の薄型化に伴い、各機構の構成部品も薄型化され、前記ロックレバーも肉厚を薄いものとしなければならいのであるが、従来のように合成樹脂のみで一体成形したものは、その剛性の低下が問題となる。特に、ロックレバーは、ディスクトレイのロード／アンロードに伴い頻繁に作動されるもので、経時的に耐久力の衰えることがないようにしなければならない。しかも、例えば、落下などによる大きな衝撃を受け、ディスクトレイが本体から飛び出すような力が働くと、ディスクトレイのロックは、ロックレバーのみでなされるため、このロックレバーに衝撃による応力が集中し、容易に破壊されてしまうことになる。
【０００９】
本発明は、かかる問題に鑑みなされたもので、ロックレバーを薄型に成形しても、その剛性が低下しないようにしたもので、これによりイジェクト／ロック機構の構造的強度を向上し、信頼性を高くするようにしたものである。
【００１０】
【課題を解決するための手段】
そこで本発明は、記録媒体を装填したディスクトレイをシャーシケース内で前進後退させてロード／アンロードするようにしたディスク装置に配設したイジェクト／ロック機構において、合成樹脂からなる主体の先端部に鋼板型材をインサートして一体化したロックレバーをイジェクト／ロック機構に備えるようにする。
【００１１】
また、前記構成のイジェクト／ロック機構において、前記ロックレバーは、エマージェンシーイジェクト時に押圧される被駆動面を備えており、該被駆動面は合成樹脂で形成されているようにする。
【００１２】
【発明の実施の形態】
以下、本発明の実施の形態を図にもとづいて詳細に説明する。なお、本発明は、薄型化を実現するディスク装置に実施して好適であるが、既存のディスク装置に実施することも可能であり、実施の対象が限定されるものではない。また、本発明の実施の対象であるディスク装置の理解を容易とするため、全体の構成の概要を含め、以下に説明する。
【００１３】
図１乃至図２は、本発明を実施したディスク装置の外観を示す斜視図であり、同図において符号１は合成樹脂により一体成形されたディスクトレイであり、中央に位置するターンテーブル２は、ディスクトレイ１内に内蔵された図４に示すスピンドルモータ３の駆動軸に固定され、このターンテーブル２に一体構成されたクランプ機構１０２ａで光ディスクがクランプされ、回転する。また、光ピックアップを主体に構成したヘッドユニット４は、ディスクトレイ１に形成されたスリット１ａ内を半径方向に移動し、光ディスクに対し情報の記録再生を行う。そして、このように構成されたディスクトレイ１は、ガイドレール５に支持されてシャーシケース１０に収まるように構成されている。
【００１４】
前記ディスクトレイ１の奥部側の端部には、シャーシケース１０に配設したプリント基板７の電子部品との当接を回避するための切欠部１ｂが形成されており、この切欠部１ｂは必要に応じ、シール材６により封止される。かかる構成は、ディスクトレイを薄く構成する場合に有効な手段でありディスクトレイ１の肉厚相当を薄くすることができる。
【００１５】
つぎに、前記ディスクトレイ１は前端の一方の側部に後述するスライダー機構Ｃを収容するサイドアーム１ｃが一体に形成されており、さらにディスクトレイ１の前端面には、図３に示すごとくベゼル８がその舌片８ａをディスクトレイ１の挿入孔１ｄへ差し込むようにして取り付けられる。なお、符号８ｂはディスクトレイ１内のイジェクト／ロック機構の非常時におけるロック状態を強制解除（エマージェンシーイジェクト）するため、操作ピンを挿入するための通孔であり、符号８ｃはインジケータ表示窓、符号８ｄはディスクトレイ１をアンロードするための操作ボタンである。
【００１６】
そして、ディスクトレイ１の前端面にはアースプレート９がその爪片９ａによりディスクトレイ１の係止突起１ｊに取り付けられおり、ディスクトレイ１がロードされたとき、その開放端部９ｂがシャーシケース１０の開口部に当接し、放電路が形成されるようにしている。このアースプレート９の機能は、前記したようなディスクトレイ１の強制解除時、あるいはアンロードのため操作ボタンに指先が接触するとき、人体の静電気による影響を防止するため、この静電気を放電路へ流し、電気部品などの破損を防止するようにしたものであり、従来は、ベゼル側に固定されているのが一般的構成である。
【００１７】
ところで、このベゼルは、ディスク装置のフロントフェイスを飾るもので、通常、パソコンに合わせたデザインのものが使用されることになる。このような事情から多くの場合、供給者はディスク装置単体の完成品を、ベゼルが装着されていない状態で納品し、このディスク装置を受け入れたパソコン製造者などが独自にベゼルを製作し、ディスクトレイの前端面に固定するようにしている。しかしながら、従来はベゼルにアースプレートを熱カシメ処理などにより一体化しているため、その処理費用がコストダウンの妨げとなっている。
【００１８】
そこで、かかる事情を解決するため、アースプレート９をディスクトレイ１の前端面に予め装着しておくことにより、納品先においては、アースプレートの一体化を不要としたベゼルのみの製作で対応することができ、処理費用を低く抑えることが可能となるようにしたのである。
【００１９】
つぎに、アルミニウム、マグネシウムなどの軽金属で成型されるシャーシケース１０は、図２に示すごとくベースシャーシ１１とカバーシャーシ１２からなり、ベースシャーシ１１の開口をカバーシャーシ１２で覆い、ネジ止めされる。そして、ベースシャーシ１１の両側端には、合成樹脂製の保持レール１３が固定され、この保持レール１３内に金属製のガイドレール５が遊動状態で前進後退可能に支持されている。さらに、前記ガイドレール５は、ディスクトレイ１の両側端に形成された凸条１ｄを遊動状態で前進後退可能に支持している。したがって、ディスクトレイ１がシャーシケース１０に完全に収まったとき、このシャーシケース１０によりディスクトレイ１の磁気ならびに静電気に対するシールドがなされ、前記アースプレート９の開放端部９ｂがシャーシケース１０の開口部に当接し、放電路が形成される。なお、本願実施例の構成によれば、アースプレート９をディスクトレイ１の前端面に固定してあるので、ベゼル８を装着していない状態においてもディスクトレイ１内の電気部品に対する静電気の影響を防止することができる。
【００２０】
図５は、前記構成、即ち、ディスクトレイ１の移送機構となる保持レール１３、ガイドレール５およびディスクトレイ１の凸条１ｅの組立状態を示す拡大断面図であり、同図に示すように本発明のガイドレール５の外表面には梨地調の微細凹凸５ａが形成されている。これは、保持レール１３とガイドレール５との摺接抵抗を低減するための処理であり、ディスクトレイ１の前進後退がより滑らかとなる操作感が得られるようにするためのものである。
【００２１】
このような処理は、従来のディスク装置には施されていないのであるが、ディスク装置の薄型化および情報の高密度化に伴い、特に保持レール１３とガイドレール５とのクリアランスがきわめて微小となる。これは、振動などが情報の記録再生に影響しないようにするために重要であり、クリアランスは必要最小限とする設計となる。このような条件のもとに保持レール１３とガイドレール５が構成されると摺接壁面の接触率が高くなり、ディスクトレイ１の操作に抵抗感が生じ円滑なものとすることができない。そこで、前述したようにガイドレール５に微細凹凸５ａを形成することにより摺接抵抗を低減してディスクトレイ１の円滑な操作感を維持できるようにした。
【００２２】
この微細凹凸はガイドレール５の内外両面、あるいは、保持レール１３、ディスクトレイ１の凸条１ｄに形成するようにしてもよく、要するに、微細凹凸の形成された摺接面とこれに対して接する摺接面を平滑面となるようにすればよい。なお、図５において、符号１４は短絡部材であり、保持レール１３が絶縁体であるため、ガイドレール５とベースシャーシ１１とを電気的に導通するためのものである。同図に示す実施例の場合は、金属製の鋼球を保持レールの窓孔１３ａに装填するようにしているが、綱球に代えて板バネ、コイルスプリング、導電性繊維なども採用し得る。
【００２３】
つぎに、本発明のディスク装置におけるディスクトレイ１の内部の構成の概要を図４にもとづいて説明する。同図は、ボトムカバー１５を取り除いた状態を示すもので、中央に光ディスクを回転駆動するスピンドルモータ３、ヘッドユニット４、およびこのヘッドユニット４を光ディスクの半径方向に往復動させるスレッドモータ１６およびギアユニット１７を主体に構成した駆動機構Ａが配設されている。また、ディスクトレイ１の前端角隅部にはイジェクト／ロック機構Ｂが配設され、サイドアーム１ｃ内にはスライダー機構Ｃが配設されている。
【００２４】
前記ヘッドユニット４は、その両端がガイドシャフト１８に遊設されており、このヘッドユニット４に固定したティース部材１９のティース１９ａがスクリューシャフト２０のガイド溝２０ａに案内されて移動し、往復動するようにしている。図６は、かかる構成の要部を拡大して示したもので、ガイドシャフト１８に遊設されたヘッドユニット４にティース部材１９および支持部材２１の主体が同時にネジ２２により固定されている。
【００２５】
前記ティース部材１９は、図７に示すごとく主体の端部の垂下片１９ａにスクリューシャフト２０のガイド溝２０ａに噛合するティース１９ｂが形成され、中央に窓孔１９ｃが形成されている。さらに、この窓孔１９ｃの左右に窓孔１９ｄが形成され、この窓孔１９ｄの奥部に脚柱１９ｅが垂下した状態で一体に成形されている。一方、支持部材２１には主体の端部に前記ティース部材１９の垂下片１９ａの迫り上がりを阻止するための支持片２１ｂと、前記垂下片１９ａを背面から付勢しつつ支持する押圧片２１ａが形成されている。
【００２６】
したがって、ティース部材１９および支持部材２１をヘッドユニット４へ一体に固定すると、図８に示すようにティース部材１９の垂下片１９ａは支持部材２１の支持片２１ｂで押さえられた状態で押圧片２１ａにより前方へ付勢される。これにより、垂下片１９ａのティース１９ｂのスクリューシャフト２０のガイド溝２０ａへの噛合が確実なものとなり、垂下片１９ａの迫り上がりを防止することができる。一方、スクリューシャフト２０により垂下片１９ａを押し下げる力が働き、同図の仮想線に示すように垂下片１９ａが変位すると、この垂下片１９ａに脚柱１９ｅも押し下げられてガイドシャフト１８に当接し、この位置で垂下片１９ａの変位が制限されることになる。
【００２７】
このようにティース部材１９に支持部材２１を組み合わせて固定したことにより、垂下片１９ａのティース１９ｂがスクリューシャフト２０のガイド溝２０ａから脱落するのを完全に防止することができ、ヘッドユニット４の光ディスクへのアクセスの高速化に対応することが可能となる。即ち、光ディスクの記録密度の向上に伴い、ヘッドユニット４の往復動の頻度が高くなり、しかも高速化しているため、これに伴ってスクリューシャフト２０の回転速度も高くなる。
【００２８】
このような情況では、垂下片１９ａのティース１９ｂにスクリューシャフト２０のガイド溝２０ａから急激な駆動力が加わることになり、その瞬間、上方または下方に向かう分力が発生してに垂下片１９ａが迫り上がりまたは押し下げられ、ティース１９ｂとガイド溝２０ａの噛合状態が浅くなり、脱落の危険が大きくなる。そして、このような現象はスクリューシャフト２０のガイド溝２０ａの終端で特に顕著に現れ、ティース１９ｂがガイド溝２０ａから脱落する確率が高いものであったが、上記構成を採用することにより完全にこれを防止することができた。
【００２９】
つぎに、前記スクリューシャフト２０を回転駆動するためのギアユニット１７の構成を説明する。従来、かかる部分のギアユニットの構成は、各ギアのギアシャフトをギアフレームに形成した軸受穴に挿入する手作業によりなされていた。しかしながら、このような作業による場合、通常、合成樹脂で成形されている歯列を損傷する確率が高く、ギアユニットに損傷したギアが存在すると、いわゆるシーク音が大きくなるという問題があった。
【００３０】
そこで、本発明のディスク装置では、図９に示すような構成を採用するに至った。同図に示す構成では、ギアユニット１７は３個の単体ギアＧ１・Ｇ２・Ｇ３の組み合わせからなるもので、ギアＧ１はスレッドモータ１６の出力軸に固定されている。一方、前記スレッドモータ１６の回転力の伝達対象となるスクリューシャフト２０にはギアＧ２が固定されており、そのシャフトがギアフレームに形成した軸受穴に挿入されている。かかる状態においてギアＧ３のギアシャフトをギアフレーム２３に形成した軸受溝２４へ落とし込むことにより無理なくギアＧ３を装填することができる。
【００３１】
即ち、従来、ギアＧ３の装填は軸受穴へギアシャフトを挿入するようにしていたため、装填時のギアの水平性を保つことができず、歯列を損傷していたのであるが、上記構成による場合は、ギアＧ３の水平性を保ちながら装填でき、しかもギアＧ１・Ｇ２はギアＧ３の装填に伴って従動して回転するので、互いの歯列に過大な負荷がかからず、これによりギアユニット１７の組立時の損傷の危険を回避することができるのである。
【００３２】
上記ギアユニット１７の構成による場合は、ギアＧ３のギアシャフトは軸受溝２４に遊嵌状態となるため、その脱落を防止すべく、覆板２５を装着するようにしている。この覆板２５は、図９に反転状態で示すように一端にネジ通孔２５ａが形成され、他端の２カ所に係止爪２５ｂが形成されている。この覆板２５の一端をネジ２６によりギアフレーム２３に固定したとき、他端の一方の係止爪２５ｂはギアフレーム２３に形成した窓孔２３ａに係合し、他方の係止爪２５ｂは係止段部２３ｂに係合する。そして、前記各係止爪２５ｂが前記窓孔２３ａおよび係止段部２３ｂに係合したとき、係止爪２５ｂのアンダーカット部の角隅部に形成した傾斜面がギアフレーム２３の係合位置の頂稜部に図９の吹出図に示すように当接する。これにより、覆板２５が遊動することなく確実に固定することができることから、スレッドモータ１６、ギアユニット１７からの振動が伝搬しても、覆板２５が励振されて騒音を発生するようなことはない。
【００３３】
つぎに、本発明のディスク装置で採用するイジェクト／ロック機構Ｂの構成ならびに動作態様を説明する。このイジェクト／ロック機構Ｂは、ディスクトレイ１がシャーシケース１０内にロードされた状態を固定し、またはこの固定状態を解除してディスクトレイ１をアンロード可能となるようにするためのもので、図１０に示すように自己保持型ソレノイド２７、解除レバー２８、ロックレバー２９、復帰レバー３０を組み合わせて構成されている。
【００３４】
前記自己保持型ソレノイド２７は、一対のヨーク２７ａ・２７ｂの先端が励磁コイル２７ｃ・２７ｄの後端からほぼ中位まで挿入され固定されている。そして、前記ヨーク２７ａ・２７ｂの端部には永久磁石２７ｅが装着されており、これにより馬蹄形の磁気回路が形成されている。一方、励磁コイル２７ｃ・２７ｄの先端には磁性体である可動片２７ｆが前進後退可能に挿入されている。
【００３５】
このため、定常状態では、前記永久磁石２７ｅにより形成された磁気回路の磁力により前記可動片２７ｆは吸引されている状態で保持されている。そして、励磁コイル２７ｃ・２７ｄの端子から永久磁石により発生している磁場とは逆の磁場が発生するように直流電流を印加することにより、前記永久磁石２７ｅにより発生している磁場が打ち消され、可動片２７ｆの拘束が解除される。この可動片２７ｆは解除レバー２８に固定されたピン２８ａに連結されているため、可動片２７ｆの前進後退に同期して解除レバー２８も水平方向に往復動することになる。なお、自己保持型ソレノイド２７はディスクトレイ１にネジ止めにより固定されている。
【００３６】
つぎに、解除レバー２８は常時、同図上で左方向に付勢されるように引張コイルバネ３１が掛け止めされているが、そのバネ力は前記自己保持型ソレノイド２７の永久磁石２７ｅによる磁力の拘束力より弱いものであることが条件となる。
【００３７】
符号２９は常時、同図上で反時計回り方向に微弱なバネ力で付勢されているロックレバーであり、シャーシケース１０内に固定されているロックピン３２と係合し、ディスクトレイ１のロード状態を維持する機能を備える。このような機能を果たすロックレバーは、通常、合成樹脂で一体成形したものが多く採用されている。ところが、ディスク装置全体の薄型化に伴い、このロックレバーも薄肉としなければならないのであるが、合成樹脂の一体成形によるロックレバーでは剛性の低下が問題であり、動作頻度が高いことからも十分な耐久性を具えるものとしなければならない。
【００３８】
そこで本発明では、図１１に示すように樹脂主体２９ａが鋼板型材２９ｂを内包するインサート成形により構成するようにした。同図からも明らかなように、鋼板型材２９ｂは先端部にインサートされ、最も剛性が要求される部分が補強される。そして、鋼板型材２９ｂの端部を合成樹脂部分より露呈させ、ロックピン３２との摺接抵抗が低くなるようにしている。一方、ロックレバー２９の後端部には起動端２９ｃおよび強制解除のための傾斜面（被駆動面）２９ｄが形成されている。
【００３９】
ところで、この強制解除とは、図１２に示すごとくディスクトレイ１がロードされ、ロックピン３２がロックレバー２９のアングル部２９ｅに係合している状態において、例えば、システムの異常などによりディスクトレイ１をアンロードできなくなる障害の発生に対応しようとするものである。このような障害が発生した場合は、同図に示すようにベゼル８の通孔８ｂから適宜の操作ピンＰを差し込み、その先端をロックレバー２９の傾斜面２９ｄに沿って滑らせつつ押し込むことにより、同図上で時計回り方向にロックレバー２９を回転させ、ロックピン３２との係合を解除してディスクトレイ１を引き出すことが可能となる。
【００４０】
なお、前記ロックレバー２９の傾斜面２９ｄは、合成樹脂で成形される部分であるため、傾斜曲面あるいは図１１に示すように段階的な角度θ１・θ２を付与した傾斜面など任意に形成することができ、操作ピンＰによる操作感覚が最もよい状態の傾斜面を任意に形成することができる。また、図１２に示すように、ロックレバー２９の傾斜面２９ｄに対応する位置においてボトムカバー１５に切り欠き１５ａを形成したので操作ピンＰの沈み込みが可能となり、ボトムカバー１５の肉厚相当の薄型化が可能となるとともに、前記切り欠き１５ａが操作ピンＰのガイド溝となるため、強制解除時の操作ピンＰの先端の遊動を抑えることができ、操作性を向上することができる。
【００４１】
つぎに、復帰レバー３０はその起動端３０ａが復帰ピン３２に押圧されて起動するようにしたもので、作用端３０ｂにより解除レバー２８を作動して自己保持型ソレノイド２７を定常状態に復帰させるようにしたものである。なお、この復帰レバー３０は引張コイルバネ３４により原位置（図１０（Ｂ）参照）への復帰が可能となるようにしている。
【００４２】
ところで、前記復帰ピン３２は金属素材を円柱状に形成し、その端部をベースシャーシにカシメ処理して固定しているのが従来の一般的構成であった。ところが、素材が金属であることと断面形状が円柱状であることから、復帰レバー３０との摺接抵抗が大きく、ディスクトレイ１を指先でロードしたとき、いわゆるクリックショックが発生し、操作感を減退するものであった。
【００４３】
そこで、本発明では、復帰ピン３２を摺接抵抗が小さくなる合成樹脂で成形することとし、図１３に示すように保持レール１３から延設した状態で一体に成形するようにした。これにより、復帰ピン３２を任意の断面形状に形成することが可能となり、例えば、実施例に示すように接触面にテーパ３２ａを形成し、摺接抵抗を低減してクリックショックを低減することができた。また、合成樹脂による保持レール１３との一体成形により前記テーパ面３２ａの方向性を一定に保つことが可能となるので、製品の品質が不安定となることがない。なお、この復帰ピン３２を保持レール１３と一体に成形することにより、この復帰ピン３２を別途製作することなく、また、ベースシャーシ１１への固定作業も不要となることから、この部分の加工コストを低減することができる。同図において、符号３３はロックピンであり、ベースシャーシ１１にカシメ処理により固定されている。そして、復帰ピン３２より全長を短くして復帰レバー３０の起動端３０ａと接触しないようにしている。
【００４４】
なお、図１３において、符号３５はディスクトレイ１のポップアウト機構であり、スライド部材３６に引張コイルバネ３７が張設されている。これにより、ディスクトレイ１が同図上で左方向へ前進すると、ディスクトレイ１の後端部が前記スライド部材３６の端部３６ａと当接し、さらにディスクトレイ１が前進して定位置でロックされると、引張コイルバネ３７が延伸してバネ力が蓄圧された状態となる。したがって、ディスクトレイ１がイジェクトされてロックが解除されると、この引張コイルバネ３７に蓄圧されているバネ力が瞬間に開放されることにより、ディスクトレイ１を押し出し、ポップアウトする。
【００４５】
つぎに、上記構成のイジェクト／ロック機構Ｂの動作態様は、まず、ロードされるディスクトレイ１が前進し、図１０（Ａ）に示すように復帰レバー３０の起動端３０ａに復帰ピン３２が当接し、復帰レバー３０が反時計回り方向に回転すると、作用端３０ｂが解除レバー２８の先端部に当接し、この解除レバー２８を右方向へ平行移動させる。これに伴い、引張コイルバネ３１を延伸するとともに、自己保持型ソレノイド２７の可動片２７ｆが励磁コイル２７ｃ・２７ｄ内に押し込まれ、永久磁石２７ｅによる磁力に吸引されて保持される。
【００４６】
そして、ディスクトレイ１がさらに前進すると、ロックピン３３がロックレバー２９の頂部斜面を押圧しつつ進入し、図１０（Ｂ）に示すようにロックピン３３とロックレバー２９のアングル部２９ｅが係合してディスクトレイ１のロックを完了する。
【００４７】
一方、ディスクトレイ１をアンロードするため、前記ロック状態の解除、即ち、イジェクトを行う場合は、図１０（Ｂ）の状態において、自己保持型ソレノイド２７の励磁コイル２７ｃ・２７ｄに直流電流を印加し、これにより生じた磁界により永久磁石２７ｅにより形成されている磁界が打ち消され、可動片２７ｆの拘束が解除されることから引張コイルバネ３１に蓄圧されていたバネ力が開放され、解除レバー２８が左方向へ平行移動し、この解除レバー２８の下端部がロックレバー２９の起動端２９ｃに当接してこのロックレバー２９を時計回り方向に回転させる。したがって、この時点でロックピン３３とロックレバー２９のアングル部２９ｅとの係合が解除され、前述したポップアウト機構３５の引張コイルバネ３７の働きによりディスクトレイ１がポップアウトする。
【００４８】
つぎに、ディスクトレイ１をロードし、シャーシケース１０内にロックした状態において、このディスクトレイ１の静止安定性を向上するための構成を説明する。ディスクトレイ１は前述したようにシャーシケース１０内を前進後退するのであるが、これを許容するため、その支持機構には僅かながらもクリアランスが必要となる。ところが、このクリアランスはディスクトレイ１の振動を許容するものともなり、衝撃が加わった場合の読み取りエラー、書き込みエラーの原因となるものであった。
【００４９】
また、ディスク装置が薄型となるほど、クランプ機構２ａとカバーシャーシ１２の内壁面との距離が接近し、互いに接触する危険性が大きくなる。このような状態において何らかの外因によりディスク装置の稼働中にクランプ機構２ａがカバーシャーシ１２の内壁面に接触すると、光ディスクの回転速度は急速に低下して読み取りエラー、書き込みエラーなどの障害を発生することとなるため、特にディスク装置の薄型化、高記録密度化において解決しなければならない重要な課題であった。
【００５０】
そこで、本発明では、ディスクトレイ１がロックされたとき、常時、ディスクトレイ１に静止圧が発生するようにしており、かかる構成について以下に説明する。図１乃至図３においては、ディスクトレイ１の要所の内部にローラ３８・３９を配設し、その転動面の一部をディスクトレイ１の表面に露呈させるようにした。かかる構成は図１４に示すごとく、窓孔１ｆの両側に軸受ブロック１ｇを形成し、前後に支持板４０を掛け止めするためのアングル１ｈおよび位置決めボス１ｉが形成されている。したがって、ローラ３８・３９のローラシャフトを軸受ブロック１ｇに配置し、支持板４０をアングル１ｈに掛け止めすると、図１５に示すごとくローラ３８・３９がディスクトレイ１の裏面に回転可能に取り付けられた状態となる。
【００５１】
図１６は、このようにして配設されたローラ３８・３９のシャシケース１０内の状態を拡大して示したもので、ディスクトレイ１の表面に露出したローラ３８・３９の転動面がカバーシャシ１２の内壁面に接触する。このとき、ローラシャフトを支持している支持板４０が板バネの機能を果たし、ローラ３８・３９をカバーシャーシ１２に押し付けることになる。したがって、前記ローラ３８・３９の停止位置においてカバーシャーシ１２が反作用点となる機能を果たし、ディスクトレイ１に静止圧が発生することになる。
【００５２】
上記ローラ３８・３９を採用する構成は、ディスクトレイ１の片側の側部の構造的に比較的余裕のある部分に実施を可能とするものであるが、基準的外形となっているディスク装置において対応する側部には、上記のようなローラによる構成を採用することができない。しかしながら、ディスクトレイ１の静止安定性をより確実なものとするためには、ディスクトレイ１の両側部で静止圧が発生することが望ましいため、本発明では、サイドアームに内蔵するスライダー機構を改良し、かかる問題を解決するようにした。
【００５３】
図１２において、サイドアーム１ｃ内に内蔵されたスライダー機構Ｃは、一端が軸支され、捻りコイルバネ４２により同図上で時計回り方向に付勢され、先端部４１ａが揺動するようにしたスライダー４１により構成されている。そして、スライダー４１の先端部４１ａの側面には上方から下方に向かう下り勾配の傾斜面４１ｂが形成されている。一方、前記スライダー４１の先端部４１ａが摺接するベースシャーシ１１の側壁１１ａならびにカバーシャーシ１２の側壁１２ａは、前記先端部４１ａの傾斜面４１ｂの傾斜角度と一致する角度に形成されている。
【００５４】
このように構成されていることにより、ディスクトレイ１をシャーシケース１０内に収めると、図１７に示すようにスライダー４１の先端部４１ａはベースシャーシ１１の側壁１１ａに互いの傾斜面で摺接する。このような状態になると、スライダー４１は捻りコイルバネ４２で外方向へ付勢（Ｐ１）されているので本来の機能であるディスクトレイ１の水平方向の安定状態を保つことができるとともに、前記傾斜面の摺接により下方向への分力（Ｐ２）が発生し、これが静止圧となってディスクトレイ１の平面方向の安定状態が保たれる。
【００５５】
【発明の効果】
以上詳細に説明したように、本発明のイジェクト／ロック機構によれば、そのロックレバーの先端部に鋼板型材をインサートして一体化したので、経時的にも剛性が低下することなく、また、衝撃などによる応力の集中があっても十分な耐久性を備えることができるので、信頼性の高いディスク装置とすることができる。
【図面の簡単な説明】
【図１】ディスクトレイのアンロード状態のディスク装置の斜視図である。
【図２】カバーシャーシ取り外した状態のディスク装置の斜視図である。
【図３】ディスクトレイの構成を示す斜視図である。
【図４】ディスクトレイの内部の構成を示す平面図である。
【図５】ディスクトレイの支持構造の断面図である。
【図６】ヘッドユニットの移送機構のティース部分の斜視図である。
【図７】ヘッドユニットのティース部材ならびに支持部材の斜視図である。
【図８】ヘッドユニットのティース部分の組立状態の断面図である。
【図９】駆動機構におけるギアユニットの組立状態を説明する斜視図である。
【図１０】イジェクト／ロック機構の構成ならびに動作態様の説明図である。
【図１１】イジェクト／ロック機構のロックレバーの斜視図である。
【図１２】イジェクト／ロック機構およびサイドアーム部分の説明図である。
【図１３】ロックピンの構成を説明するための斜視図である。
【図１４】静止圧を発生させるためのローラ構造の分解斜視図である。
【図１５】静止圧を発生させるためのローラ構造の組立斜視図である。
【図１６】ローラ構造が機能している状態を示す断面図である。
【図１７】サイドアームの構造および機能を説明するための断面図である。
【図１８】一般的なノート型パソコンの外観を示す斜視図である。
【図１９】従来のディスク装置の外観を示す斜視図である。
【符号の説明】
Ａ・・・・・・駆動機構
Ｂ・・・・・・イジェクト／ロック機構
Ｃ・・・・・・スライダー機構
１・・・・・・ディスクトレイ
１ａ・・・・・スリット
１ｂ・・・・・切欠部
１ｃ・・・・・サイドアーム
１ｄ・・・・・挿入孔
１ｅ・・・・・凸条
１ｆ・・・・・窓孔
１ｇ・・・・・軸受ブロック
１ｈ・・・・・アングル
１ｉ・・・・・位置決めボス
１ｊ・・・・・係止突起
２・・・・・・ターンテーブル
３・・・・・・スピンドルモータ
４・・・・・・ヘッドユニット
５・・・・・・ガイドレール
５ａ・・・・・微細凹凸
６・・・・・・シール材
７・・・・・・プリント基板
８・・・・・・ベゼル
８ｂ・・・・・通孔
９・・・・・・アースプレート
１０・・・・・シャーシケース
１１・・・・・ベースシャーシ
１２・・・・・カバーシャーシ
１３・・・・・保持レール
１４・・・・・短絡部材
１５・・・・・ボトムカバー
１６・・・・・スレッドモータ
１７・・・・・ギアユニット
１８・・・・・ガイドシフト
１９・・・・・ティース部材
１９ｂ・・・・ティース
２０・・・・・スクリューシャフト
２０ａ・・・・ガイド溝
２１・・・・・支持部材
２３・・・・・ギアフレーム
２４・・・・・軸受溝
２５・・・・・覆板
２７・・・・・自己保持型ソレノイド
２８・・・・・解除レバー
２９・・・・・ロックレバー
２９ａ・・・・樹脂主体
２９ｂ・・・・鋼板型材
２９ｄ・・・・傾斜面
２９ｅ・・・・アングル部
３０・・・・・復帰レバー
３２・・・・・復帰ピン
３３・・・・・ロックピン
３５・・・・・ポップアウト機構
３８・・・・・ローラ
３９・・・・・ローラ
４０・・・・・支持板
４１・・・・・スライダー
４１ｂ・・・・傾斜面
４２・・・・・捻りコイルバネ
【図１】
2004152438.tif 000003
【図２】
2004152438.tif 000004
【図３】
2004152438.tif 000005
【図４】
2004152438.tif 000006
【図５】
2004152438.tif 000007
【図６】
2004152438.tif 000008
【図７】
2004152438.tif 000009
【図８】
2004152438.tif 000010
【図９】
2004152438.tif 000011
【図１０】
2004152438.tif 000012
【図１１】
2004152438.tif 000013
【図１２】
2004152438.tif 000014
【図１３】
2004152438.tif 000015
【図１４】
2004152438.tif 000016
【図１５】
2004152438.tif 000017
【図１６】
2004152438.tif 000018
【図１７】
2004152438.tif 000019
【図１８】
2004152438.tif 000020
【図１９】
2004152438.tif 000021